(57)【要約】      （修正有）【課題】照明装置の解像度を向上させるために照明装置で利用可能な発光部材を提供する。【解決手段】発光部材１０が、支持ベース１１と、ＬＥＤのダイのセット１２とを含む。支持ベース１１は支持面１１１を含み、ＬＥＤのダイのセット１２は、予め定められた配置で支持面１１１に配置された少なくとも４つのＬＥＤのダイ１２１、１２２、１２３、１２４を含む。別の態様では、照明装置が、複数の発光部材１０が、マトリックスに配置されたものを含む。従って、各発光部材１０の各ＬＥＤのダイが１つの画素を定義するとともに、互いに共同し、且つ、１又は複数の隣接する発光部材１０の１又は複数の隣接するＬＥＤのダイとともに、別の画素を定義することができる。このようにして画素間の画素ピッチを低減することができる。【選択図】図２Ａ
2015019068.tif 000002
【特許請求の範囲】
【請求項１】
第１の発光部材を備える１又は複数の発光部材であって、
前記第１の発光部材は、
第１の支持ベースと、
発光ダイオードダイのセット（ＬＥＤのダイのセット）と
を有し、
前記第１の支持ベースは、第１の支持面を含み、前記第１の支持面は、第１の方向に２つの遠位端と、前記第１の方向に垂直な方向の第２の方向に２つの遠位端とを含み、４つの前記遠位端は、第１の四辺形領域を定義し、
前記ＬＥＤのダイのセットは、前記第１の支持面に配置され、アレイ状に配置された第１のＬＥＤのダイ、第２のＬＥＤのダイ、第３のＬＥＤのダイ、及び第４のＬＥＤのダイを少なくとも含み、
前記第１の方向における前記第１のＬＥＤのダイと前記第２のＬＥＤのダイとの間の距離は、第１の値Ｘ１をもち、
前記第１のＬＥＤのダイと前記第１の四辺形領域の端部との間の最小距離は、第２の値Ｙ１１をもち、
前記第２のＬＥＤのダイと、前記第１の四辺形領域の前記端部との間の最小距離は、第３の値Ｙ１２をもち、
前記第１の値Ｘ１は、前記第２の値Ｙ１１及び前記第３の値Ｙ１２の合計より大きい、１又は複数の発光部材。
【請求項２】
第２の発光部材を更に備え、
前記第２の発光部材は、
第２の支持ベースを有し、
前記第２の支持ベースは、第２の支持面を含み、前記第２の支持面は、前記第１の方向に２つの遠位端と、前記第２の方向に２つの遠位端とを含み、前記第２の支持面の４つの前記遠位端は、第２の四辺形領域を定義し、
前記第１の方向における、前記第１の発光部材の前記第１の支持面の前記第１の四辺形領域の前記端部と、前記第２の発光部材の前記第２の支持面の前記第２の四辺形領域の端部との間の最小距離は、第４の値Ｚ１をもち、
前記第２の値Ｙ１１、前記第３の値Ｙ１２、及び、前記第４の値Ｚ１の合計は、前記第１の値Ｘ１の０．９倍未満でなく、前記第１の値Ｘ１の１．１倍を超えない、請求項１に記載の１又は複数の発光部材。
【請求項３】
前記第２の値Ｙ１１、前記第３の値Ｙ１２、及び、前記第４の値Ｚ１の前記合計は、前記第１の値Ｘ１に等しい、請求項２に記載の１又は複数の発光部材。
【請求項４】
前記第２の方向における前記第１のＬＥＤのダイと前記第３のＬＥＤのダイとの間の距離は、第５の値Ｘ２をもち、
前記第１のＬＥＤのダイと、前記第１の四辺形領域の前記端部との間の最小距離は、第６の値Ｙ２１をもち、
前記第３のＬＥＤのダイと、前記第１の四辺形領域の前記端部との間の最小距離は、第７の値Ｙ２２をもち、
前記第５の値Ｘ２は、前記第６の値Ｙ２１、及び、前記第７の値Ｙ２２の合計より大きい、請求項１から３の何れか１項に記載の１又は複数の発光部材。
【請求項５】
前記第２の方向における前記第１の発光部材の前記第１の支持面の前記第１の四辺形領域の前記端部と、前記第２の発光部材の前記第２の支持面の前記第２の四辺形領域の前記端部との間の最小距離は、第８の値Ｚ２をもち、
前記第６の値Ｙ２１、前記第７の値Ｙ２２、及び、前記第８の値Ｚ２の合計は、前記第５の値Ｘ２の０．９倍未満でなく、前記第５の値Ｘ２の１．１倍を超えない、請求項４に記載の１又は複数の発光部材。
【請求項６】
前記第６の値Ｙ２１、前記第７の値Ｙ２２、及び、前記第８の値Ｚ２の前記合計は、前記第５の値Ｘ２に等しい、請求項５に記載の１又は複数の発光部材。
【請求項７】
第１の支持面の形状は四辺形であり、
前記第１の四辺形領域の前記端部は、前記第１の支持面の端部を含む、
請求項１から６の何れか１項に記載の１又は複数の発光部材。
【請求項８】
前記第１の支持面の形状は正方形である、請求項７に記載の１又は複数の発光部材。
【請求項９】
前記第１のＬＥＤのダイ、前記第２のＬＥＤのダイ、前記第３のＬＥＤのダイ、及び前記第４のＬＥＤのダイが、正方行列に配置される、請求項１から８の何れか１項に記載の１又は複数の発光部材。
【請求項１０】
前記第１のＬＥＤのダイ、前記第２のＬＥＤのダイ、前記第３のＬＥＤのダイ、及び前記第４のＬＥＤのダイが、１つ又は２つの赤色ＬＥＤのダイ、１つ又は２つの緑色ＬＥＤのダイ、１つ又は２つの青色ＬＥＤのダイ、又は、これらの組み合わせを含む、請求項１から９の何れか１項に記載の１又は複数の発光部材。
【請求項１１】
前記第１の値Ｘ１が１ｍｍより大きくない、請求項１から１０の何れか１項に記載の１又は複数の発光部材。
【請求項１２】
前記第５の値Ｘ２が１ｍｍより大きくない、請求項１から１１の何れか１項に記載の１又は複数の発光部材。
【請求項１３】
複数の発光部材を備える照明装置であって、
前記複数の発光部材のそれぞれは、
支持ベースと、
発光ダイオードダイのセット（ＬＥＤのダイのセット）と
を有し、
前記支持ベースは、支持面を含み、前記支持面は、第１の方向に２つの遠位端と、前記第１の方向に垂直な方向の第２の方向に２つの遠位端とを含み、４つの前記遠位端は、四辺形領域を定義し、
前記ＬＥＤのダイのセットは、前記支持面に配置され、アレイ状に配置された第１のＬＥＤのダイ、第２のＬＥＤのダイ、第３のＬＥＤのダイ、及び第４のＬＥＤのダイを少なくとも含み、
前記第１の方向における前記第１のＬＥＤのダイと前記第２のＬＥＤのダイとの間の距離は、第１の値Ｘ１をもち、
前記第１のＬＥＤのダイと前記四辺形領域の端部との間の最小距離は、第２の値Ｙ１１をもち、
前記第２のＬＥＤのダイと、前記四辺形領域の前記端部との間の最小距離は、第３の値Ｙ１２をもち、
前記第１の値Ｘ１は、前記第２の値Ｙ１１及び前記第３の値Ｙ１２の合計より大きく、
前記複数の発光部材は、アレイ状に配置されており、
前記複数の発光部材のうちの第１の発光部材の前記支持ベースの前記支持面の前記四辺形領域の前記端部と、前記第１の方向に前記第１の発光部材に隣接して設けられた、前記複数の発光部材のうちの第２の発光部材の前記支持ベースの前記支持面の前記四辺形領域の前記端部との間の最小距離は、第４の値Ｚ１をもち、
前記第２の値Ｙ１１、前記第３の値Ｙ１２、及び、前記第４の値Ｚ１の合計は、前記第１の値Ｘ１の０．９倍未満でなく、前記第１の値Ｘ１の１．１倍を超えない、照明装置。
【請求項１４】
前記第１のＬＥＤのダイと前記第３のＬＥＤのダイとの間の距離は、第５の値Ｘ２をもち、
前記第１のＬＥＤのダイと、前記四辺形領域の前記端部との間の最小距離は、第６の値Ｙ２１をもち、
前記第３のＬＥＤのダイと、前記四辺形領域の前記端部との間の最小距離は、第７の値Ｙ２２をもち、
前記第５の値Ｘ２は、前記第６の値Ｙ２１、及び、前記第７の値Ｙ２２の合計より大きく、
前記第２の方向における前記第１の発光部材の前記支持ベースの前記支持面の前記四辺形領域の前記端部と、前記第２の発光部材の前記支持ベースの前記支持面の前記四辺形領域の前記端部との間の最小距離は、第８の値Ｚ２をもち、
前記第６の値Ｙ２１、前記第７の値Ｙ２２、及び、前記第８の値Ｚ２の合計は、前記第５の値Ｘ２の０．９倍未満でなく、前記第５の値Ｘ２の１．１倍を超えない、請求項１３に記載の照明装置。
【請求項１５】
第１の発光部材を備える１又は複数の発光部材であって、
前記第１の発光部材は、
第１の支持ベースと、
発光ダイオードダイのセット（ＬＥＤのダイのセット）と
を有し、
前記第１の支持ベースは、第１の支持面を含み、前記第１の支持面は、第１の方向に２つの遠位端と、前記第１の方向に垂直な方向の第２の方向に２つの遠位端とを含み、４つの前記遠位端は、第１の四辺形領域を定義し、
前記ＬＥＤのダイのセットは、前記第１の支持面に配置され、アレイ状に配置された６個のＬＥＤのダイを少なくとも含み、
前記第１の方向における前記ＬＥＤのダイのセットのうちの２つの隣接するＬＥＤのダイの間の距離は、第１の値Ｘ１をもち、
第１辺の前記ＬＥＤのダイのセットの複数のＬＥＤのダイと、前記第１の四辺形領域の端部との間の最小距離は、第２の値Ｙ１１をもち、
前記第１辺とは反対の第２辺の前記ＬＥＤのダイのセットの複数のＬＥＤのダイと、前記第１の四辺形領域の前記端部との間の最小距離は、第３の値Ｙ１２をもち、
前記第１の値Ｘ１は、前記第２の値Ｙ１１及び前記第３の値Ｙ１２の合計より大きい、１又は複数の発光部材。
【請求項１６】
第２の発光部材を更に備え、
前記第２の発光部材は、
第２の支持ベースを有し、
前記第２の支持ベースは、第２の支持面を含み、前記第２の支持面は、前記第１の方向に２つの遠位端と、前記第２の方向に２つの遠位端とを含み、前記第２の支持面の４つの前記遠位端は、第２の四辺形領域を定義し、
前記第１の方向における、前記第１の発光部材の前記第１の支持面の前記第１の四辺形領域の前記端部と、前記第２の発光部材の前記第２の支持面の前記第２の四辺形領域の端部との間の最小距離は、第４の値Ｚ１をもち、
前記第２の値Ｙ１１、前記第３の値Ｙ１２、及び、前記第４の値Ｚ１の合計は、前記第１の値Ｘ１の０．９倍未満でなく、前記第１の値Ｘ１の１．１倍を超えない、請求項１５に記載の１又は複数の発光部材。
【請求項１７】
前記第２の値Ｙ１１、前記第３の値Ｙ１２、及び、前記第４の値Ｚ１の前記合計は、前記第１の値Ｘ１に等しい、請求項１６に記載の１又は複数の発光部材。
【請求項１８】
前記第２の方向における前記ＬＥＤのダイのセットの２つの他の隣接するＬＥＤのダイ同士の間の距離は、第５の値Ｘ２をもち、
前記第１辺の前記ＬＥＤのダイのセットの前記複数のＬＥＤのダイと、前記第１の四辺形領域の前記端部との間の最小距離は、第６の値Ｙ２１をもち、
前記第２辺の前記ＬＥＤのダイのセットの前記複数のＬＥＤのダイと、前記第１の四辺形領域の前記端部との間の最小距離は、第７の値Ｙ２２をもち、
前記第５の値Ｘ２は、前記第６の値Ｙ２１及び前記第７の値Ｙ２２の合計より大きい、請求項１５から１７の何れか１項に記載の１又は複数の発光部材。
【請求項１９】
前記第２の方向における前記第１の発光部材の前記第１の支持面の前記第１の四辺形領域の前記端部と、前記第２の発光部材の前記第２の支持面の前記第２の四辺形領域の前記端部との間の最小距離は、第８の値Ｚ２をもち、
前記第６の値Ｙ２１、前記第７の値Ｙ２２、及び、前記第８の値Ｚ２の合計は、前記第５の値Ｘ２の０．９倍未満でなく、前記第５の値Ｘ２の１．１倍を超えない、請求項１８に記載の１又は複数の発光部材。
【請求項２０】
前記第６の値Ｙ２１、前記第７の値Ｙ２２、及び、前記第８の値Ｚ２の前記合計は、前記第５の値Ｘ２に等しい、請求項１９に記載の１又は複数の発光部材。
【発明の詳細な説明】
【技術分野】
【０００１】
＜関連する特許出願に対する相互参照＞
本開示は、２０１３年７月１１日に提出した台湾特許出願第１０２１２４８８１号の優先権の恩恵を主張し、その全体を参照として組み込む。
【０００２】
本開示は、発光部材及び照明装置に関し、より詳しくは、１又は複数の発光ダイオード（ＬＥＤ）ダイを含む発光部材及び照明装置に関する。
【背景技術】
【０００３】
現在、発光部材は益々ＬＥＤのダイを発光源に利用するようになっている。例えば、図１Ａを参照すると、３つの異なる色のＬＥＤのダイ９１が、発光部材９で利用されることで、発光部材９に、３つの異なる色の光を発光させる。
【０００４】
図１Ｂに示すように、複数の発光部材９を配置して１つの照明装置（例えば電子標識、ディスプレイ等）を形成することもできる。これら照明装置の特徴のなかでも重要な特徴が、解像度である。照明装置の解像度が良好になればなるほど、照明装置が表示するピクチャ又は画像がより精細になり、見るひとに対してより良好な視覚体験を提供する。
【０００５】
照明装置により良好な解像度を提供するためには、画素間の画素ピッチをより小さくして、一定の長さの単位内により多い数の画素を含めるようにする必要がある。しかし、先行技術の照明装置の画素ピッチは、発光部材９の寸法（長さ又は幅）より大きい又は等しくしかできず、発光部材９の寸法より小さくはできない。これは、単一の画素Ｐが、１つの発光部材９によって形成されていることに起因している。
【０００６】
このために、当産業では、上述した欠陥を是正する発光部材及び照明装置を提供する必要がある。
【発明の概要】
【０００７】
本開示は、照明装置の解像度を向上させるために照明装置で利用可能な発光部材を提供する。
【０００８】
本開示は更に、向上した解像度をもつ照明装置を提供する。
【０００９】
１つの態様では、１又は複数の発光部材が、第１の支持ベース及びＬＥＤのダイのセットを含んでよい第１の発光部材を含んでよい。第１の支持ベースは、第１の方向の２つの遠位端と、第１の方向に垂直な方向の第２の方向の２つの遠位端とを含む第１の支持面を含んでよい。４つの遠位端は、第１の四辺形領域を定義してよい。ＬＥＤのダイのセットは、第１の支持面に配置されてよく、アレイ状に配置された第１のＬＥＤのダイ、第２のＬＥＤのダイ、第３のＬＥＤのダイ、及び第４のＬＥＤのダイを少なくとも含んでよい。第１の方向における第１のＬＥＤのダイと第２のＬＥＤのダイとの間の距離は、第１の値Ｘ１を有してよい。第１のＬＥＤのダイと、第１の四辺形領域の端部との間の最小距離は、第２の値Ｙ１１を有してよい。第２のＬＥＤのダイと、第１の四辺形領域の端部との間の最小距離は、第３の値Ｙ１２を有してよい。第１の値Ｘ１は、第２の値Ｙ１１及び第３の値Ｙ１２の合計より大きくてよい。
【００１０】
少なくとも幾つかの実施形態では、１又は複数の発光部材が更に、第２の支持面をもつ第２の支持ベースを含んでよい第２の発光部材を含んでよい。第２の支持面は、第１の方向の２つの遠位端と、第２の方向の２つの遠位端とを含んでよい。第２の支持面の４つの遠位端は、第２の四辺形領域を定義してよい。第１の方向における第１の発光部材の第１の支持面の第１の四辺形領域の端部と、第２の発光部材の第２の支持面の第２の四辺形領域の端部との間の最小距離は、第４の値Ｚ１を有してよい。第２の値Ｙ１１、第３の値Ｙ１２、及び、第４の値Ｚ１の合計は、第１の値Ｘ１の０．９倍未満でなく、第１の値Ｘ１の１．１倍を超えなくてよい。
【００１１】
少なくとも幾つかの実施形態では、第２の値Ｙ１１、第３の値Ｙ１２、及び、第４の値Ｚ１の合計は、第１の値Ｘ１に等しくてよい。
【００１２】
少なくとも幾つかの実施形態では、第１のＬＥＤのダイと第３のＬＥＤのダイとの間の第２の方向の距離は、第５の値Ｘ２を有してよい。第１のＬＥＤのダイと第１の四辺形領域の端部との間の最小距離は、第６の値Ｙ２１を有してよい。第３のＬＥＤのダイと第１の四辺形領域の端部との間の最小距離は、第７の値Ｙ２２を有してよい。第５の値Ｘ２は、第６の値Ｙ２１、及び、第７の値Ｙ２２の合計より大きくてよい。
【００１３】
少なくとも幾つかの実施形態では、第２の方向における第１の発光部材の第１の支持面の第１の四辺形領域の端部と、第２の発光部材の第２の支持面の第２の四辺形領域の端部との間の最小距離は、第８の値Ｚ２を有してよい。第６の値Ｙ２１、第７の値Ｙ２２、及び、第８の値Ｚ２の合計は、第５の値Ｘ２の０．９倍未満でなく、第５の値Ｘ２の１．１倍を超えなくてよい。
【００１４】
少なくとも幾つかの実施形態では、第６の値Ｙ２１、第７の値Ｙ２２、及び、第８の値Ｚ２の合計は、第５の値Ｘ２に等しくてよい。
【００１５】
少なくとも幾つかの実施形態では、第１の支持面の形状が四辺形であってよい。第１の四辺形領域の端部は、第１の支持面の端部を含んでよい。
【００１６】
少なくとも幾つかの実施形態では、第１の支持面の形状が正方形であってよい。
【００１７】
少なくとも幾つかの実施形態では、第１のＬＥＤのダイ、第２のＬＥＤのダイ、第３のＬＥＤのダイ、及び第４のＬＥＤのダイが、正方行列に配置されてよい。
【００１８】
少なくとも幾つかの実施形態では、第１のＬＥＤのダイ、第２のＬＥＤのダイ、第３のＬＥＤのダイ、及び第４のＬＥＤのダイが、１つ又は２つの赤色ＬＥＤのダイ、１つ又は２つの緑色ＬＥＤのダイ、１つ又は２つの青色ＬＥＤのダイ、又は、これらの組み合わせを含んでよい。
【００１９】
少なくとも幾つかの実施形態では、第１の値Ｘ１が１ｍｍより大きくなくてよい。
【００２０】
少なくとも幾つかの実施形態では、第５の値Ｘ２が１ｍｍより大きくなくてよい。
【００２１】
別の態様において、照明装置は、複数の発光部材を含んでよい。発光部材のそれぞれは、それぞれ支持ベースとＬＥＤのダイのセットとを含んでよい。支持ベースは、第１の方向の２つの遠位端と、第１の方向に垂直な方向の第２の方向の２つの遠位端とを含む支持面を含んでよい。４つの遠位端は、四辺形領域を定義してよい。ＬＥＤのダイのセットは、支持面に配置されてよく、アレイ状に配置された第１のＬＥＤのダイ、第２のＬＥＤのダイ、第３のＬＥＤのダイ、及び第４のＬＥＤのダイを少なくとも含んでよい。第１の方向における第１のＬＥＤのダイと第２のＬＥＤのダイとの間の距離は、第１の値Ｘ１を有してよい。第１のＬＥＤのダイと、第１の四辺形領域の端部との間の最小距離は、第２の値Ｙ１１を有してよい。第２のＬＥＤのダイと、第１の四辺形領域の端部との間の最小距離は、第３の値Ｙ１２を有してよい。第１の値Ｘ１は、第２の値Ｙ１１及び第３の値Ｙ１２の合計より大きくてよい。発光部材はアレイ状に配置されてよい。発光部材のうちの第１の発光部材の支持ベースの支持面の四辺形領域の端部と、第１の方向に第１の発光部材に隣接して設けられた、発光部材のうちの第２の発光部材の支持ベースの支持面の四辺形領域の端部との間の最小距離は、第４の値Ｚ１を有してよい。第２の値Ｙ１１、第３の値Ｙ１２、及び、第４の値Ｚ１の合計は、第１の値Ｘ１の０．９倍未満でなく、第１の値Ｘ１の１．１倍を超えなくてよい。
【００２２】
少なくとも幾つかの実施形態では、第１のＬＥＤのダイと第３のＬＥＤのダイとの間の最小距離は、第５の値Ｘ２を有してよい。第１のＬＥＤのダイと第１の四辺形領域の端部との間の最小距離は、第６の値Ｙ２１を有してよい。第３のＬＥＤのダイと第１の四辺形領域の端部との間の最小距離は、第７の値Ｙ２２を有してよい。第５の値Ｘ２は、第６の値Ｙ２１、及び、第７の値Ｙ２２の合計より大きくてよい。第２の方向における、第１の発光部材の支持ベースの支持面の四辺形領域の端部と、第２の発光部材の支持ベースの支持面の四辺形領域の端部との間の最小距離は、第８の値Ｚ２を有してよい。第６の値Ｙ２１、第７の値Ｙ２２、及び、第８の値Ｚ２の合計は、第５の値Ｘ２の０．９倍未満でなく、第５の値Ｘ２の１．１倍を超えなくてよい。
【００２３】
また別の態様では、１又は複数の発光部材が、第１の支持ベースとＬＥＤのダイのセットとを含んでよい第１の発光部材を含んでよい。第１の支持ベースは、第１の方向の２つの遠位端と、第１の方向に垂直な方向の第２の方向の２つの遠位端とを含む第１の支持面を含んでよい。４つの遠位端は、第１の四辺形領域を定義してよい。ＬＥＤのダイのセットは、第１の支持面に配置されてよく、アレイ状に配置された少なくとも６個のＬＥＤのダイを含んでよい。第１の方向における、ＬＥＤのダイのセットにおける２つの隣接するＬＥＤのダイ同士の間の距離は、第１の値Ｘ１を有してよい。第１辺のＬＥＤのダイのセットのＬＥＤのダイと、第１の四辺形領域の端部との間の最小距離は、第２の値Ｙ１１を有してよい。第１辺と反対の第２辺のＬＥＤのダイのセットのＬＥＤのダイと、第１の四辺形領域の端部との間の最小距離は、第３の値Ｙ１２を有してよい。第１の値Ｘ１は、第２の値Ｙ１１及び第３の値Ｙ１２の合計より大きくてよい。
【００２４】
少なくとも幾つかの実施形態では、１又は複数の発光部材が更に、第２の支持ベースを含んでよい第２の発光部材を含んでよい。第２の支持ベースは、第１の方向の２つの遠位端と、第２の方向の２つの遠位端とを含む第２の支持面を有してよい。第２の支持面の４つの遠位端は、第２の四辺形領域を定義してよい。第１の方向における第１の発光部材の第１の支持面の第１の四辺形領域の端部と、第２の発光部材の第２の支持面の第２の四辺形領域の端部との間の最小距離は、第４の値Ｚ１を有してよい。第２の値Ｙ１１、第３の値Ｙ１２、及び、第４の値Ｚ１の合計は、第１の値Ｘ１の０．９倍未満でなく、第１の値Ｘ１の１．１倍を超えなくてよい。
【００２５】
少なくとも幾つかの実施形態では、第２の値Ｙ１１、第３の値Ｙ１２、及び、第４の値Ｚ１の合計は、第１の値Ｘ１に等しくてよい。
【００２６】
少なくとも幾つかの実施形態では、第２の方向におけるＬＥＤのダイのセットの２つの他の隣接するＬＥＤのダイ同士の間の距離が、第５の値Ｘ２を有してよい。第１辺のＬＥＤのダイのセットのＬＥＤのダイと、第１の四辺形領域の端部との間の最小距離は、第６の値Ｙ２１を有してよい。第２辺のＬＥＤのダイのセットのＬＥＤのダイと、第１の四辺形領域の端部との間の最小距離は、第７の値Ｙ２２を有してよい。第５の値Ｘ２は、第６の値Ｙ２１及び第７の値Ｙ２２の合計より大きくてよい。
【００２７】
少なくとも幾つかの実施形態では、第２の方向における第１の発光部材の第１の支持面の第１の四辺形領域の端部と、第２の発光部材の第２の支持面の第２の四辺形領域の端部との間の最小距離は、第８の値Ｚ２を有してよい。第６の値Ｙ２１、第７の値Ｙ２２、及び、第８の値Ｚ２の合計は、第５の値Ｘ２の０．９倍未満でなく、第５の値Ｘ２の１．１倍を超えなくてよい。
【００２８】
少なくとも幾つかの実施形態では、第６の値Ｙ２１、第７の値Ｙ２２、及び、第８の値Ｚ２の合計は、第５の値Ｘ２に等しくてよい。
【００２９】
幾つかの好適な実施形態を、添付図面を参照しながら後述して、本開示の目的、技術的特徴、及び利点のより良好な理解を助ける。
【図面の簡単な説明】
【００３０】
添付図面は、本開示の更なる理解を提供するために含められており
本開示に組み込まれ、その一部分を構成する。図面は、本開示の実施形態を示しており、説明とともに、本開示の原理を説明する役割を果たす。図面は必ずしも実際の縮尺で描かれてはおらず、本開示の思想を明示するために、一部の部材が、実際の実装のサイズとは縮尺が異なるように示されていてもよい。図面では、同様の部材には同じ参照番号を付す。
【００３１】
【図１Ａ】先行技術の発光部材を示す。
【００３２】
【図１Ｂ】先行技術の発光部材を示す。
【００３３】
【図２Ａ】本開示における第１の実施形態における発光部材の上面図である。
【００３４】
【図２Ｂ】本開示における第１の実施形態における発光部材の別の上面図である。
【００３５】
【図３Ａ】本開示の別の実施形態における発光部材の上面図である（電極は不図示）。
【００３６】
【図３Ｂ】本開示における別の実施形態における発光部材の上面図である。
【００３７】
【図４】本開示の第２の実施形態における照明装置の上面図である。
【００３８】
【図５Ａ】本開示の第２の実施形態の変形例における照明装置の上面図である。
【００３９】
【図５Ｂ】本開示の第２の実施形態の別の変形例における照明装置の上面図である。
【００４０】
【図６】本開示の第３の実施形態における発光部材の上面図である。
【００４１】
【図７】本開示の第４の実施形態における照明装置の上面図である。
【００４２】
【図８Ａ】本開示の第５の実施形態における発光部材の斜視図である。
【００４３】
【図８Ｂ】本開示の第５の実施形態における発光部材の上面図である。
【発明を実施するための形態】
【００４４】
図２Ａは、本開示における第１の実施形態における発光部材の別の上面図である。本開示の第１の実施形態では、発光部材１０が、支持ベース１１とＬＥＤのダイのセット１２とを含んでよい。
【００４５】
支持ベース１１は、互いと別であり、電気的に絶縁されている複数の上部電極１１２を含んでよい支持面１１１を含んでよい。支持面１１１の形状は、四辺形（例えば矩形又は正方形）、円形、長円形、多角形、不定型な形状等であってよい。１つの実施形態では、支持面１１１の形状が、正方形等の四辺形であってよい。言い換えると、支持面１１１の四つの辺が等しい長さであってよい。
【００４６】
その形状に関わらず、支持面１１１は、法線方向（不図示）を有し、法線方向に垂直な２つの方向は、第１の方向Ｄ１及び第２の方向Ｄ２と定義される。第１の方向Ｄ１及び第２の方向Ｄ２は、互いに垂直である。１つの実施形態では、第１の方向Ｄ１が水平方向であってよく、第２の方向Ｄ２が垂直方向であってよい。
【００４７】
その形状に関わらず、支持面１１１は、第１の方向Ｄ１に２つの遠位端（つまり、支持面１１１の中心点から一番離れた地点のこと）を含み、第２の方向Ｄ２に２つの他の遠位端を含む。支持面１１１が四辺形である場合には、第１の方向Ｄ１の２つの遠位端のそれぞれが、支持面１１１の２つの辺１１１Ａ及び１１１Ｂの任意の点であってよく、第２の方向Ｄ２の２つの遠位端のそれぞれが、支持面１１１の２つの辺１１１Ｃ及び１１１Ｄの任意の点であってよい。他の実施形態では、支持面１１１が円形のときに（例えば図３Ａに示すように）、４つの遠位端が、円形状の、４つの四分円上の点１１１Ｅであってよい。
【００４８】
図２Ａを参照すると、支持面１１１の４つの遠位端は、端部１１３１が、仮想四辺形領域１１３の４つの辺によって形成される、仮想四辺形領域１１３を定義してよい。つまり、仮想四辺形領域１１３は、仮想四辺形領域１１３の端部１１３１を形成する４つの辺を有している。
【００４９】
支持面１１１が四辺形である場合には、仮想四辺形領域１１３の４つの辺は、支持面１１１の４つの辺１１１Ａ−１１１Ｄであってよく、仮想四辺形領域１１３の端部１１３１が、支持面１１１の端部であってよい。他の実施形態では、支持面１１１が円形である場合（図３Ａに示されているように）、支持面１１１は、４つの遠位端により定義される仮想四辺形領域１１３に内接する円であってよい。
【００５０】
図２Ａを参照すると、ＬＥＤのダイのセット１２は、支持ベース１１の支持面１１１に配置され、支持面１１１の上部電極１１２に電気的に接続されている。上部電極１１２は更に、（ａ）支持ベース１１の４つの隅部に構成されている、隅部の電気的貫通穴１３Ａ、及び、（ｇ）支持面１１１と反対の、支持ベース１１の面上に配置された下部電極（不図示）を介して、外部電源に電気的に接続されている。更に、共通電極１５も、（ａ）支持ベース１１の２つの対向する辺上にある、辺の電気的貫通穴１３Ｂ、及び、（ｂ）下部電極（不図示）を介して、外部電源に電気的に接続されている。この構成によって、発光部材１０を、任意の支持構造に簡便に表面搭載することができる。ＬＥＤのダイのセット１２は、マトリックスを形成するよう配置された第１のＬＥＤのダイ１２１、第２のＬＥＤのダイ１２２、第３のＬＥＤのダイ１２３、及び、第４のＬＥＤのダイ１２４を少なくとも含んでよい。異なる言い方をすると、第１のＬＥＤのダイ１２１から第４のＬＥＤのダイ１２４は、直線、水平線、又は対角線上に配置されない。
【００５１】
第１のＬＥＤのダイ１２１から第４のＬＥＤのダイ１２４は、それぞれ異なる色のＬＥＤのダイであってよい。好適には、第１のＬＥＤのダイ１２１、第２のＬＥＤのダイ１２２、第３のＬＥＤのダイ１２３、及び第４のＬＥＤのダイ１２４は、１つ又は２つの赤色ＬＥＤのダイ、１つ又は２つの緑色ＬＥＤのダイ、及び１つ又は２つの青色ＬＥＤのダイのセットから選択されてよい。言い換えると、第１のＬＥＤのダイ１２１から第４のＬＥＤのダイ１２４は、同じ色の２つのＬＥＤのダイと、１つ又は２つの異なる色の２つのＬＥＤのダイとを含んでよい。
【００５２】
１つの実施形態では、第１のＬＥＤのダイ１２１と第４のＬＥＤのダイ１２４とは、両方とも赤色ＬＥＤのダイであってよく、第２のＬＥＤのダイ１２２が緑色ＬＥＤのダイであり、第３のＬＥＤのダイ１２３が青色ＬＥＤのダイであってよい。
【００５３】
色の特定の他にも、図２Ｂを参照することでわかるように、第１のＬＥＤのダイ１２１から第４のＬＥＤのダイ１２４の間には、配置される位置の観点から特定の関係がある。図２Ｂは、本開示における第１の実施形態における発光部材の別の上面図である。図２Ｂに示す発光部材は、図２Ａに示すものと同じだが、図２Ｂは、発光部材の幾つかの寸法も示している。
【００５４】
第１の方向Ｄ１における、第１のＬＥＤのダイ１２１と第２のＬＥＤのダイ１２２との間の距離は、第１の値（Ｘ１）をもち、第１のＬＥＤのダイ１２１と仮想四辺形領域１１３の端部１１３１との間の最小距離は、第２の値（Ｙ１１）をもち、第２のＬＥＤのダイ１２２と仮想四辺形領域１１３の端部１１３１との間の最小距離は第３の値（Ｙ１２）をもつ。第１のＬＥＤのダイ１２１（又は第２のＬＥＤのダイ１２２）と、仮想四辺形領域１１３の端部１１３１との間の最小距離とは、第１のＬＥＤのダイ１２１（又は第２のＬＥＤのダイ１２２）の中心点と、仮想四辺形領域１１３の特定の辺との間の距離のことであってよい。第１のＬＥＤのダイ１２１の場合には、仮想四辺形領域１１３の特定の辺が、第１の方向Ｄ１において第１のＬＥＤのダイ１２１に最も近い、仮想四辺形領域１１３の辺のうちの１つ（例えば、図２Ｂに示す仮想四辺形領域１１３の左辺）である。
【００５５】
１つの実施形態では、第１の値（Ｘ１）が、第２の値（Ｙ１１）に第３の値（Ｙ１２）を加えたものより大きくてよい、つまり、Ｘ１  ＞  （Ｙ１１  ＋  Ｙ１２）であってよい。つまり、第１の方向Ｄ１における、第１のＬＥＤのダイ１２１と第２のＬＥＤのダイ１２２との間の距離が、第１のＬＥＤのダイ１２１及び第２のＬＥＤのダイ１２２のそれぞれと端部１１３１との間の距離より大きい。
【００５６】
１つの実施形態では、第１のＬＥＤのダイ１２１から第４のＬＥＤのダイ１２４がアレイ状に配置されている場合、第１の方向Ｄ１における、第１のＬＥＤのダイ１２１、第２のＬＥＤのダイ１２２、及び、仮想四辺形領域１１３の端部１１３１の配置が、第３のＬＥＤのダイ１２３、第４のＬＥＤのダイ１２４、及び、仮想四辺形領域１１３の端部１１３１の配置に反映されていてよい。
【００５７】
したがって、第１のＬＥＤのダイ１２１から第４のＬＥＤのダイ１２４は、発光するときに画素Ｐ１を定義してよい（図４に示す）。第１の方向Ｄ１において、第２のＬＥＤのダイ１２２及び第４のＬＥＤのダイ１２４は、共同して、別の発光部材の１又は複数のＬＥＤのダイとともに別の画素Ｐ２（図４に示す）を定義してよい（図４に示し、後述する）。同様に、第１の方向Ｄ１において、第１のＬＥＤのダイ１２１及び第３のＬＥＤのダイ１２３は、共同して、別の発光部材の１又は複数のＬＥＤのダイとともに別の画素Ｐ２を定義してよい。異なる言い方をすると、第１の方向Ｄ１の、１を超える数の画素が発光部材１０によって定義されてよく、画素間の画素ピッチは、支持面１１１の寸法（長さ又は幅）より小さくてよい。第１の方向Ｄ１における画素間の画素ピッチは、第１の値（Ｘ１）の０．９又は１．１倍であってよい。これに関するより詳しい説明は、本開示の第２の実施形態に関連して後述する。
【００５８】
第１のＬＥＤのダイ１２１から第４のＬＥＤのダイ１２４は、第２の方向Ｄ２でも同様に配置される。第２の方向Ｄ２における、第１のＬＥＤのダイ１２１と第３のＬＥＤのダイ１２３の間の距離は、第５の値（Ｘ２）をもち、第１のＬＥＤのダイ１２１と仮想四辺形領域１１３の端部１１３１との間の最小距離は、第６の値（Ｙ２１）をもち、第３のＬＥＤのダイ１２３と仮想四辺形領域１１３の端部１１３１との間の最小距離は第７の値（Ｙ２２）をもつ。
【００５９】
１つの実施形態では、第５の値（Ｘ２）が、第６の値（Ｙ２１）に第７の値（Ｙ２２）を加えたものより大きくてよい、つまり、Ｘ２  ＞  （Ｙ２１  ＋  Ｙ２２）であってよい。言い換えると、第２の方向Ｄ２における、第１のＬＥＤのダイ１２１と第３のＬＥＤのダイ１２３との間の距離が、第１のＬＥＤのダイ１２１及び第３のＬＥＤのダイ１２３のそれぞれと端部１１３１との間の距離より大きい。
【００６０】
故に、第２の方向Ｄ２において、第１のＬＥＤのダイ１２１及び第２のＬＥＤのダイ１２２は、共同して、別の発光部材の１又は複数のＬＥＤのダイとともに別の画素Ｐ２を定義してよい（図４に示す）。同様に、第３のＬＥＤのダイ１２３及び第４のＬＥＤのダイ１２４は、共同して、別の発光部材の１又は複数のＬＥＤのダイとともに、第２の方向Ｄ２における別の画素Ｐ２を定義してよい（図４に示す）。つまり、第２の方向Ｄ２の、１を超える数の画素が発光部材１０によって定義されてよく、画素間の画素ピッチは、支持面１１１の寸法（長さ又は幅）より小さくてよい。第２の方向Ｄ２における画素間の画素ピッチは、第５の値（Ｘ２）の０．９又は１．１倍であってよい。これに関するより詳しい説明は、本開示の第２の実施形態に関連して後述する。
【００６１】
他方で、第１のＬＥＤのダイ１２１から第４のＬＥＤのダイ１２４が第１の方向Ｄ１及び第２の方向Ｄ２に特定のパターンに配置されている場合には、第１のＬＥＤのダイ１２１から第４のＬＥＤのダイ１２４のいずれかが、３つの他の発光部材のそれぞれのＬＥＤのダイとともに、また別の画素Ｐ３（図４に示す）を定義してよい。つまり、４つの隣接する発光部材１０が、共同して画素Ｐ３を定義してよい。
【００６２】
上述した値において、第１の値（Ｘ１）と第５の値（Ｘ２）とが同じであってよい。故に、第１のＬＥＤのダイ１２１から第４のＬＥＤのダイ１２４が、正方行列として配置されてよい。第２の値（Ｙ１１）と第３の値（Ｙ１２）とが同じであってよく、第６の値（Ｙ２１）と第７の値（Ｙ２２）とも同じであってよい。他の実施形態では、第２の値（Ｙ１１）と第３の値（Ｙ１２）とが異なっていてよく（図３Ｂに示すように）、第６の値（Ｙ２１）と第７の値（Ｙ２２）とが異なっていてもよい（不図示）。
【００６３】
好適には、第１の値（Ｘ１）又は第５の値（Ｘ２）が、１ミリメートル（ｍｍ）より大きくない。より好適には、第１の値（Ｘ１）又は第５の値（Ｘ２）が、０．８ｍｍより大きくない。故に、発光部材１０が定義する画素間の画素ピッチは、好適には、１．１ｍｍ（Ｘ１又はＸ２の１．１倍）より大きくなく、より好適には、０．８８ｍｍ（Ｘ１又はＸ２の０．８８倍）より大きくない。
【００６４】
図４は、本開示の第２の実施形態における照明装置の上面図である。本開示の第２の実施形態では、照明装置１が、複数の発光部材１０を含んでよい。
【００６５】
照明装置１の複数の発光部材１０は、上述した第１の実施形態のものであってよい（図３Ａ及び図３Ｂを参照して説明した様々な実施形態を含む）。故に、照明装置１の複数の発光部材１０の技術的特徴は、上述したものと同じであってよい。複数の発光部材１０は、アレイ状に配置されてよい。１つの実施形態では、複数の発光部材１０の数が９つで、３ｘ３のアレイを形成してよい。
【００６６】
第１の実施形態同様に、第１の方向Ｄ１又は第２の方向Ｄ２において、複数の発光部材１０のそれぞれが、画素Ｐ１（濃い破線で示す）を定義してよく、且つ、共同して、１又は複数の隣接する発光部材１０とともに別の画素Ｐ２（薄い破線で示す）を定義してよい。故に、第１の方向Ｄ１又は第２の方向Ｄ２において、照明装置１は、所与の単位の寸法内により多くの画素を提供することができ、画素間の画素ピッチが小さい（例えば１．１ｍｍを超えない）。好適には、これにより照明装置１の解像度が向上する。
【００６７】
照明装置１が見るひとから見られたとき、複数の発光部材１０が定義する画素が、曖昧な、ねじれた（ｔｗｉｓｔｅｄ）、又は破損した（ｂｒｏｋｅｎ）画素Ｐ２となって見えるような視覚体験の提供を回避するべく、好適には、複数の発光部材１０の間の距離が、後述する方法に従って決定されるとよい。
【００６８】
特に、第１の方向Ｄ１における複数の発光部材１０の仮想四辺形領域１１３の端部１１３１間の最小距離は、第４の値（Ｚ１）であってよい。つまり、第１の方向Ｄ１における、複数の発光部材１０における１つの支持面１１１の端部１１３１と、別の支持ベース１１における支持面１１１の仮想四辺形領域１１３の端部１１３１との間の最小距離が、第４の値（Ｚ１）であってよい。第２の値（Ｙ１１）、第３の値（Ｙ１２）、及び、第４の値（Ｚ１）の合計は、第１の値（Ｘ１）の０．９倍未満でなく、第１の値（Ｘ１）の１．１倍を超えなくてよい（つまり０．９  Ｘ１  ≦  （Ｙ１１  ＋  Ｙ１２  ＋  Ｚ１）  ≦  １．１Ｘ１）。
【００６９】
１つの実施形態では、第２の値（Ｙ１１）、第３の値（Ｙ１２）、及び、第４の値（Ｚ１）の合計は、好適には、第１の値（Ｘ１）に等しくてよい（つまりＸ１  ＝  （Ｙ１１  ＋  Ｙ１２  ＋  Ｚ１））。他の実施形態では、図５Ａ及び図５Ｂに示すように、第２の値（Ｙ１１）、第３の値（Ｙ１２）、及び、第４の値（Ｚ１）の合計は、第１の値Ｘ１の１．１倍、又は、第１の値Ｘ１の０．９倍であってよい。図５Ａ及び図５Ｂは、照明装置１の発光部材１０の一部分を示している。
【００７０】
第２の方向Ｄ２において、複数の発光部材１０の仮想四辺形領域１１３の端部１１３１間の最小距離は、第８の値（Ｚ２）であってよい。つまり、第２の方向Ｄ２における、複数の発光部材１０における１つの支持面１１１の端部１１３１と、別の支持ベース１１における支持面１１１の仮想四辺形領域１１３の端部１１３１との間の最小距離が、第８の値（Ｚ２）であってよい。第６の値（Ｙ２１）、第７の値（Ｙ２２）、及び、第８の値（Ｚ２）の合計は、第５の値（Ｘ２）の０．９倍未満でなく、第５の値（Ｘ２）の１．１倍を超えなくてよい（つまり０．９  Ｘ２  ≦  （Ｙ２１  ＋  Ｙ２２  ＋  Ｚ２）  ≦  １．１Ｘ２）。
【００７１】
１つの実施形態では、第６の値（Ｙ２１）、第７の値（Ｙ２２）、及び、第８の値（Ｚ２）の合計は、好適には、第５の値（Ｘ２）に等しくてよい（つまりＸ２  ＝  （Ｙ２１  ＋  Ｙ２２  ＋  Ｚ２）。他の実施形態では（不図示）、第６の値（Ｙ２１）、第７の値（Ｙ２２）、及び、第８の値（Ｚ２）の合計は、第５の値（Ｘ２）の１．１倍、又は、第５の値（Ｘ２）の０．９倍であってよい。
【００７２】
故に、第１の方向Ｄ１又は第２の方向Ｄ２において、複数の発光部材１０が共同して定義する画素Ｐ２と、複数の発光部材１０のそれぞれが個別に定義する画素Ｐ１とが、見るひとに提供する視覚体験は、略同じであってよい。
【００７３】
第１の値（Ｘ１）と第４の値（Ｚ１）との間の関係は、第１の値（Ｘ１）が第２の値（Ｙ１１）及び第３の値（Ｙ１２）の合計に、第４の値（Ｚ１）の０．９から１．１倍を加えたものになるようなものであってよい（つまり、Ｘ１  ＝  Ｙ１１  ＋  Ｙ１２  ＋  （０．９  〜  １．１）  ×  Ｚ１）。第５の値（Ｘ２）と第８の値（Ｚ２）との間の関係は、第５の値（Ｘ２）が第６の値（Ｙ２１）及び第７の値（Ｙ２２）の合計に、第８の値（Ｚ２）の０．９から１．１倍を加えたものになるようなものであってよい（つまり、Ｘ２  ＝  Ｙ２１  ＋  Ｙ２２  ＋  （０．９  〜  １．１）  ×  Ｚ２）。これらの関係によって、複数の発光部材１０によって共同して定義された画素Ｐ２が、向上した視覚体験を提供することが可能となる。
【００７４】
図６は、本開示の第３の実施形態における発光部材の上面図である。本開示の第３の実施形態では、発光部材２０が提供されてよく、これは、上述した発光部材１０に類似したものであってよい。簡潔さを優先して、発光部材２０の技術的特徴の説明は、発光部材１０に関して説明することができることから、ここでは繰り返さない。
【００７５】
発光部材２０は、支持ベース２１とＬＥＤのダイのセット２２とを含んでよい。支持ベース２１は、支持面２１１と複数の電極２１２とを含んでよい。支持面２１１は、第１の方向Ｄ１の２つの遠位端と、第２の方向Ｄ２の２つの他の遠位端とを含んでよい。４つの終端部（ｔｅｒｍｉｎａｌ  ｅｎｄｓ）は、共同して、端部２１３１を有する仮想四辺形領域２１３を定義してよい。ＬＥＤのダイのセット２２は、支持面２１１に配置され、アレイ状に配置された少なくとも６個のＬＥＤのダイ２２１を含んでよい。１つの実施形態では、複数のＬＥＤのダイ２２１の数が１６個で、４ｘ４のアレイを形成してよい。
【００７６】
アレイにおけるそれぞれの位置に応じて、複数のＬＥＤのダイ２２１は、更に、「２つの辺に配置されるもの」及び「２つの辺に配置されないもの」に分割されてよい。
【００７７】
特に、第１の方向Ｄ１における「２つの辺に配置されるもの」とは、第１の方向Ｄ１に沿って、アレイの第１の行を形成するＬＥＤのダイ２２１Ａと、アレイの最後の行を形成するＬＥＤのダイ２２１Ｂ（つまり、一番左の４つのＬＥＤのダイ２２１Ａと一番右の４つのＬＥＤのダイ２２１Ｂ）として定義されてよい。第２の方向Ｄ２における「２つの辺に配置されるもの」とは、第２の方向Ｄ２に沿って、アレイの第１の行を形成するＬＥＤのダイ２２１Ｃと、アレイの最後の行を形成するＬＥＤのダイ２２１Ｄ（つまり、一番上の４つのＬＥＤのダイ２２１Ｃと一番下の４つのＬＥＤのダイ２２１Ｄ）として定義されてよい。
【００７８】
「２つの辺に配置されるもの」に属さないＬＥＤのダイ２２１が、「２つの辺に配置されないもの」と定義されてよい。
【００７９】
複数のＬＥＤのダイ２２１は、第１の方向Ｄ１に特定のパターンで配置されてよい。特に、第１の方向Ｄ１において、複数のＬＥＤのダイ２２１のうちの任意の２つの隣接するものの間の距離は、第１の値（Ｘ１）をもち、仮想四辺形領域２１３の端部２１３１と、２つの辺におけるＬＥＤのダイ２２１Ａのそれぞれ及びＬＥＤのダイ２２１Ｂのそれぞれとの間の最小距離は、それぞれ、第２の値（Ｙ１１）及び第３の値（Ｙ１２）をもち、第１の値（Ｘ１）が、第２の値（Ｙ１１）及び第３の値（Ｙ１２）の合計より大きい。
【００８０】
複数のＬＥＤのダイ２２１は、更に、第２の方向Ｄ２に特定のパターンで配置されてよい。特に、第２の方向Ｄ２において、複数のＬＥＤのダイ２２１のうちの任意の２つの隣接するものの間の距離は、第５の値（Ｘ２）をもち、仮想四辺形領域２１３の端部２１３１と、２つの辺におけるＬＥＤのダイ２２１Ｃのそれぞれ及びＬＥＤのダイ２２１Ｄのそれぞれとの間の最小距離は、それぞれ、第６の値（Ｙ２１）及び第７の値（Ｙ２２）をもち、第５の値（Ｘ２）が、第６の値（Ｙ２１）及び第７の値（Ｙ２２）の合計より大きい。
【００８１】
故に、図７に示すように、複数の発光部材２０が四辺形状に配置されて照明装置２を形成している場合、各発光部材２０の任意の４つの隣接するＬＥＤのダイ２２１が、第１の方向Ｄ１又は第２の方向Ｄ２の画素Ｐ１（濃い破線で示す）を定義してよい。複数のＬＥＤのダイ２２１の２つの辺におけるＬＥＤのダイ２２１Ｃ及び２２１Ｄ（又はＬＥＤのダイ２２１Ａ及び２２１Ｂ）は、共同して、１又は複数の隣接する発光部材２０の１又は複数のＬＥＤのダイ２２１とともに、別の画素Ｐ２（薄い破線で示す）を定義してよい。
【００８２】
他方で、任意の２つの隣接する発光部材２０の仮想四辺形領域２１３の端部２１３１の間の距離は、第１の方向Ｄ１に第４の値（Ｚ１）をもち、第２の方向Ｄ２に第８の値（Ｚ２）をもつ。第２の値（Ｙ１１）、第３の値（Ｙ１２）、及び、第４の値（Ｚ１）の合計は、第１の値（Ｘ１）の０．９倍未満でなく、第１の値（Ｘ１）の１．１倍を超えなくてよい（つまり０．９  Ｘ１  ≦  （Ｙ１１  ＋  Ｙ１２  ＋  Ｚ１）  ≦  １．１Ｘ１）。第６の値（Ｙ２１）、第７の値（Ｙ２２）、及び、第８の値（Ｚ２）の合計は、第５の値（Ｘ２）の０．９倍未満でなく、第５の値（Ｘ２）の１．１倍を超えなくてよい（つまり０．９  Ｘ２  ≦  （Ｙ２１  ＋  Ｙ２２  ＋  Ｚ２）  ≦  １．１Ｘ２）。
【００８３】
故に、第１の方向Ｄ１又は第２の方向Ｄ２において、複数の発光部材２０によって共同して定義された画素Ｐ２が、見るひとに向上した視覚体験を提供することが可能となる。
【００８４】
簡潔さを優先して、照明装置２の技術的特徴の説明は、照明装置１に関して説明することができることから、ここでは繰り返さない。
【００８５】
図８Ａは、本開示の第５の実施形態における発光部材３０の斜視図である。図８Ｂは、本開示の第５の実施形態における発光部材３０の上面図である。発光部材１０及び２０等の上述した他の実施形態と比較して、発光部材３０のフォームファクタ（例えば寸法）は、ＬＥＤのダイ１２１、１２２、１２３、及び１２４の直下に電気的貫通穴１３Ａを配置することで、及び／又は、共通電極１５の直下に電気的貫通穴１３Ｂを配置することで更に最小化される（図８Ｂ参照）。この構成では、支持ベース１１の端部の周りには電気的貫通穴が存在しないので、発光部材３０の寸法を更に最小化することができる。この構成の発光部材３０の寸法は、０．８ｍｍ×０．８ｍｍより大きくなくてよい（例えば、図８Ｂに示したような上面図における長さ×幅）。１つの実施形態では、寸法は、約０．３ｍｍ×０．３ｍｍから０．６ｍｍ×０．６ｍｍの範囲であってよい（例えば、図８Ｂに示したような上面図における長さ×幅）。
【００８６】
上述したことを鑑みると、本開示の発光部材及び照明装置の様々な実施形態は、比較的小さい画素ピッチを有することで、照明装置に向上した解像度をもたせて、見るひとに向上した視覚体験を提供する。
＜追加記載＞
【００８７】
本開示における照明装置の発光部材の実施形態は、上で説明したものに限定されない。実際の設計及び実装は、ここで説明する実施形態から変更されてもよい。当業者であれば、開示されている実施形態に基づいて様々な逸脱例及び向上した例を作成することができるであろうし、これらの逸脱例及び向上した例も本開示の範囲内に含まれる。故に、本開示を基に発光される特許の保護範囲は、以下の請求項によって決定される。
【００８８】
実装例の上述した説明は、例示を目的としており、具体的な数、材料構成、その他の詳細を述べることで、請求される本開示をより良好に説明している。しかしながら、当業者には、請求されている主題が、ここで説明された例におけるものとは異なる詳細を利用した場合であっても実施可能であることが明らかである。他の例においては、公知の特徴を省いたり簡略化して、実装例の説明を明瞭化している場合がある。
【００８９】
更に、本明細書では「例」という文言は、例、インスタンス、又は例示として使用されていることを意味する。本明細書で「例」とされている記載される態様又は設計は、必ずしも、他の態様又は設計と比べて好適又は有利であると解釈されるべきではない。むしろ、例という文言の利用は、思想及び技術を具体的に提示しようとする意図がある。例えば、「技術」という用語は、ここで説明される文脈では、１又は複数のデバイス、装置、システム、方法、製品、及び／又は、コンピュータ可読命令のことを示してよい。
【００９０】
本願で利用される「又は、もしくは」という用語は、排他的論理和ではなく包括的論理和を意味することを意図している。つまり、そうではないと特定されていたり文脈からそうではないことが明らかな場合を除き、「ＸがＡ又はＢを利用する」といった表現は、自然な包含的置換（ｎａｔｕｒａｌ  ｉｎｃｌｕｓｉｖｅ  ｐｅｒｍｕｔａｔｉｏｎ）をいずれも意味することが意図されている。つまり、ＸがＡを利用する場合にＸがＢを利用する、又は、ＸがＡ及びＢを両方とも利用する、という場合には、ＸがＡ又はＢを利用する、という条件は、前述したいずれの場合にも満たされる。加えて、冠詞「ａ」「ａｎ」（１つの、或る）が本願及び添付請求項で利用されているとき、これら冠詞は概して、そうではないと明記されている場合又は単数形を指定していることが文脈から明らかな場合を除き、「１又は複数」を意味するよう解釈されたい。
【００９１】
本開示及び以下の請求項の趣旨において、「連結」及び「接続」という用語は、様々なエレメントがどのように結び付けられている（ｉｎｔｅｒｆａｃｅ）かを説明するために利用されている場合がある。様々なエレメントのこれら説明されている結び付きは、直接的であっても間接的であってもよい。
【図１Ａ】
2015019068.tif 000003
【図１Ｂ】
2015019068.tif 000004
【図２Ａ】
2015019068.tif 000005
【図２Ｂ】
2015019068.tif 000006
【図３Ａ】
2015019068.tif 000007
【図３Ｂ】
2015019068.tif 000008
【図４】
2015019068.tif 000009
【図５Ａ】
2015019068.tif 000010
【図５Ｂ】
2015019068.tif 000011
【図６】
2015019068.tif 000012
【図７】
2015019068.tif 000013
【図８Ａ】
2015019068.tif 000014
【図８Ｂ】
2015019068.tif 000015
【外国語明細書】
2015019068000001.pdf